(57)【要約】【課題】  清掃シートを清掃ヘッドに巻付けた清掃具において、大きなごみが清掃ヘッドの外縁の横方向の外方にこぼれ散ることを防止し、大きなごみの捕集性能を向上すること。【解決手段】  柄１０の先端に設けた清掃ヘッド３０の底部まわりに清掃シート４０を巻付けてなる清掃具１であって、清掃ヘッド３０の底部の外縁３１Ｘの両側から中央に向けてへこみ状をなす凹部３４を該外縁３１Ｘに設けたもの。【選択図】  図２
2006180932.tif 000002
【特許請求の範囲】
【請求項１】
柄の先端に設けた清掃ヘッドの底部を覆って清掃シートを巻付けてなる清掃具であって、
清掃ヘッドの底部の外縁の両側からその間に向けてへこみ状をなす凹部を該外縁に設けた清掃具。
【請求項２】
前記清掃シートが清掃ヘッドの底部の外縁に設けた凹部に倣う伸縮性を備える請求項１に記載の清掃具。
【発明の詳細な説明】
【技術分野】
【０００１】
本発明は清掃具に関する。
【背景技術】
【０００２】
特許文献１に記載の如く、柄の先端に設けた平面視矩形状の清掃ヘッドの底部まわりに清掃シートを巻付けてなる清掃具がある。清掃ヘッドの底部まわりに巻付けた清掃シートを床面上にて滑らせることにより、床面上の小さなごみや髪の毛等を、清掃シートでふきとり又はからめとる等により捕捉できる。
【０００３】
他方、特許文献２に記載の如く、柄の先端に清掃ヘッドを設けた清掃具において、清掃ヘッドの前方外縁の中央部に略凸台形の延設部、延設部の両側に略凹台形の奥部を形成するとともに、奥部を挟んだ延設部の反対側に突起部を形成したものがある。床面上のごみを清掃ヘッドの突起部に引っ掛け、奥（凹台形部）に入れて捕集することにより、ごみが清掃ヘッドの前方外縁から横方向の外方にこぼれ散ることを防止できる。
【特許文献１】特開平9-140652
【特許文献２】特開2002-10960
【発明の開示】
【発明が解決しようとする課題】
【０００４】
特許文献１の清掃具では、床面上の小さなごみや髪の毛等を清掃シートで捕捉できるものの、清掃ヘッドの前方外縁が直線状壁面をなすため、この前方外縁に引っ掛かる床面上の大きなごみが床面上を転がり押されながら、横方向の外方にこぼれ散る。
【０００５】
他方、特許文献２の清掃具を用いて、その清掃ヘッドの底部まわりに清掃シートを巻付けようとすると、清掃シートは、清掃ヘッドの前方外縁の両側と中央の３位置に存在する凸部（突起部と凸台形部）に渡って張り設けられ、清掃ヘッドの前方外縁の凹台形部から前方に離れて巻かれるものになる。このため、清掃シートは凹台形部の前方において該凹台形部に倣う如くのへこみ状にならず、凹台形部の存在による大きなごみの捕集性能を発現できない。
【０００６】
本発明の課題は、清掃シートを清掃ヘッドに巻付けた清掃具において、大きなごみが清掃ヘッドの外縁の横方向の外方にこぼれ散ることを防止し、大きなごみの捕集性能を向上することにある。
【課題を解決するための手段】
【０００７】
請求項１の発明は、柄の先端に設けた清掃ヘッドの底部を覆って清掃シートを巻付けてなる清掃具であって、清掃ヘッドの底部の外縁の両側から中央に向けてへこみ状をなす凹部を該外縁に設けたものである。
【発明を実施するための最良の形態】
【０００８】
清掃具１は、図１、図２に示す如く、柄１０の先端に設けた自在継手２０に清掃ヘッド３０を連結し、柄１０の先端部において清掃ヘッド３０を清掃進み方向に対する前後左右に自在に回動可能にする。
【０００９】
柄１０は、複数本の円筒状の分割体からなるものであるが、自在継手２０が設けられる先端側の２本の分割体だけを図示してある。
【００１０】
自在継手２０は、清掃ヘッド３０の後述するヘッド部３２の上面中央部で相対する２位置（本実施例では清掃具１の通常の清掃進み方向（Ｙ方向）に沿う前後２位置）に起立させた第１支持部２１、２１と、柄１０の先端で二股状をなすように突出させた、本実施例では清掃具１の通常の清掃進み方向に直交する左右に二股状をなすように突出させた第２支持部２２、２２と、第１支持部２１と第２支持部２２を交差状に連結する連結部材２３とを有する。第１支持部２１と第２支持部２２を連結部材２３にて交差状に連結することで、柄１０を清掃ヘッド３０に対して前後左右等、すべての方向に任意の角度に自在に変更することができる。さらに、柄１０を軸として回動することによって、清掃ヘッド３０を任意の方向に自在に回動できる。
【００１１】
清掃ヘッド３０は、弾性クッション体からなるベース３１と、ベース３１の上部の合成樹脂製ヘッド部３２とを備える。ヘッド部３２は平面視略矩形状をなし、長辺方向をＸ方向、短辺方向をＹ方向とし、Ｙ方向を清掃具１の前述した通常の清掃進み方向とする。清掃ヘッド３０は、ベース３１の外縁（エッジ３１Ｘ、３１Ｙ）をその全周においてヘッド部３２の外縁より外方に張出し形成してある。清掃ヘッド３０は、ベース３１の底部（被清掃面たる床面を滑る清掃作業面になる）を覆うように底部まわりに清掃シート４０を巻付け可能にし、この清掃シート４０を係止可能にするシート係止具３３をヘッド部３２の上面の４隅に備える。液剤を含浸させた清掃シート４０により床面を湿式拭き可能にする他、液剤を含浸させない清掃シート４０により床面を乾式拭き可能にする。
【００１２】
清掃具１は、清掃ヘッド３０のベース３１の底部の通常の清掃進み方向に向く前方外縁３１Ｘの両側（両端部）からその間（中央）に向けて、滑らかな円弧に沿う湾曲へこみ状をなすＵ字状凹部３４を、該外縁３１Ｘに設けた。
【００１３】
このとき、清掃ヘッド３０のベース３１の底部まわりに巻付けられる清掃シート４０は、前方外縁３１Ｘの凹部３４の形状に倣う伸縮性（好適には、前方外縁３１Ｘの凹部３４に殆ど隙間なく密着して倣う伸縮性）を備える。伸縮性清掃シート４０としては、(1)ポリエチレン又はポリウレタンのネット状ベースシートの上面にＰＥＴ等のウエブ繊維を積層し、高速水流処理によってウエブ繊維を互いに交絡させ、かつネット状ベースシートにも交絡させたシートにて構成でき、又は(2)ＰＥＴの芯とポリエチレンの鞘からなる熱融着繊維から製作された熱融着シートにて構成できる。
【００１４】
本実施例によれば以下の作用効果を奏する。
(a)清掃具１における清掃ヘッド３０の底部の前方外縁３１Ｘが両側から中央に向けてへこみ状凹部３４をなすものであり、清掃シート４０は清掃ヘッド３０の前方外縁３１Ｘの概ね全域に渡る凹部３４に倣うように巻付けられる。従って、清掃シート４０は清掃ヘッド３０の前方外縁３１Ｘに巻付けられてへこみ状をなし、清掃具１の前進時に、床面上の大きなごみを清掃ヘッド３０の前方外縁３１Ｘに引掛けてそのへこみ状部に捕集し、大きなごみが清掃ヘッド３０の前方外縁３１Ｘから横方向の外方にこぼれ散ることを防止する。
【００１５】
同時に、清掃具１は、清掃ヘッド３０の底部まわりに巻付けた清掃シート４０を床面上にて滑らせることにより、床面上の小さなごみや髪の毛等を清掃シート４０でふきとり又はからめとる等により捕捉できる。
【００１６】
（実施例２）（図３、図４）
実施例２の清掃具１が実施例１の清掃具１と異なる点は、清掃ヘッド３０のベース３１の底部の通常の清掃進み方向に向く前方外縁３１ＸにＵ字状凹部３４を設けるだけでなく、これに直交する外縁３１Ｙにも、同様のＵ字状凹部３５を設けたことにある。清掃具１のＹ方向に向く前進時には、床面上の大きなごみをその凹部３４に捕集し、Ｘ方向に向く前進時には、床面上の大きなごみをその凹部３５に捕集できる。
【００１７】
尚、清掃具１はＹ方向に沿う前後に進退し、又はＸ方向に沿う左右に進退するものであり、図１、図３の前後の外縁３１Ｘ、３１Ｘの両方に凹部３４を設け、或いは図１、図３の左右の外縁３１Ｙ、３１Ｙの両方に凹部３５を設けても良い。
【００１８】
また、清掃具１において、清掃ヘッド３０に設けられる凹部３４、３５は、外縁３１Ｘ、３１Ｙの両端部に連続状につながる、湾曲へこみ状をなす凹部に限らず、外縁３１Ｘ、３１Ｙの両端部に直角状段差をなす如くの不連続状につながる、例えば四角へこみ状凹部をなすものでも良い。
【００１９】
また、清掃ヘッド３０に設けられる凹部３４又は凹部３５は、清掃ヘッド３０の底部にあるベース３１とヘッド部３２の両方によって形成するものであっても良い。
【００２０】
また、清掃具１において、清掃ヘッド３０の凹部３４、３５が捕集したごみは、不図示の塵取りに移しとられ、又は清掃具１から廃棄される清掃シート４０を用いてつかみとり除去される。
【図面の簡単な説明】
【００２１】
【図１】図１は実施例１の清掃具を示し、（Ａ）は前方斜視図、（Ｂ）は側面図である。
【図２】図２は清掃具の使用状態を示す正面図である。
【図３】図３は実施例２の清掃具を示し、（Ａ）は前方斜視図、（Ｂ）は側面図である。
【図４】図４は清掃具の使用状態を示す正面図である。
【符号の説明】
【００２２】
１  清掃具
１０  柄
３０  清掃ヘッド
３１Ｘ、３１Ｙ  外縁
３４、３５  凹部
４０  清掃シート
【図１】
2006180932.tif 000003
【図２】
2006180932.tif 000004
【図３】
2006180932.tif 000005
【図４】
2006180932.tif 000006